(57)【要約】  企業に関するデータを報告するための方法であって、デバイス上に企業の地理的位置のマップを提供することであって、企業がマップ上にマーカーにより表される、マップを提供することと、企業の名称を表示するためにマーカーを選択することと、企業に関する情報を入力するためのオプションを提供するためにツールバーを開くための命令を受信することと、オプションのうちの少なくとも１つにより企業に関する情報をデバイスに提供することと、デバイスを使用することにより情報を中央データベースに送信することと、を含む、方法。
2016541199.tif 000002
【特許請求の範囲】
【請求項１】
企業に関するデータを報告するための方法であって、
デバイス上に前記企業の地理的位置のマップを提供することであって、前記企業が前記マップ上にマーカーにより表される、前記マップを提供することと、
前記企業の名称を表示するために前記マーカーを選択することと、
前記企業に関する情報を入力するためのオプションを提供するためのツールバーを開くための命令を受信することと、
前記オプションのうちの少なくとも１つにより前記企業に関する情報を前記デバイスに提供することと、
前記デバイスを使用することにより前記情報を中央データベースに送信することと、
を含む、方法。
【請求項２】
前記ツールバーが、前記企業が住居外で営まれているかどうかに関するデータを入力するためのアイコンと、前記企業の前記位置の画像を提供するためのカメラと、前記企業の前記位置のマップと、前記企業に関する情報を入力するためのノートブックと、を含む、請求項１に記載の方法。
【請求項３】
前記ツールバー上のアイコンを選択することが、前記企業に関する前記情報を入力するための画面を前記デバイスに表示させる、請求項２に記載の方法。
【請求項４】
前記企業が住居外で営まれているかどうかに関するデータを入力するための前記アイコンを選択することが、イエスボタン、ノーボタン及び提出ボタンを伴う画面を前記デバイスに表示させる、請求項３に記載の方法。
【請求項５】
カメラの前記アイコンを選択することが、前記デバイスに関連付けられたカメラにより生成された画像と、前記画像を報告のために選択するためのボタンと、を前記デバイスに表示させる、請求項２に記載の方法。
【請求項６】
前記画像が、前記企業の画像をキャプチャするために前記カメラを使用することにより取得される、請求項５に記載の方法。
【請求項７】
マップアイコンを選択することが、ある位置に前記企業があるかどうか、その位置で企業が運営されているようであるかどうか、前記位置が空いているかどうか、前記位置に異なる企業が存在するかどうか、及び、前記位置で前記異なる企業が営業を行っているようであるかどうかのそれぞれについての情報を入力するための画面を前記デバイスに表示させる、請求項３に記載の方法。
【請求項８】
ノートブックアイコンを選択することが、前記企業の電話番号、前記企業の担当者が誰であるか、前記企業の担当者の肩書、及び前記企業のウェブサイトのユニフォーム・リソース・ロケータのそれぞれについての情報を入力するための画面を前記デバイスに表示させる、請求項３に記載の方法。
【請求項９】
前記デバイスの現在位置を決定することを更に含む、請求項１に記載の方法。
【請求項１０】
前記デバイスの前記現在位置が、前記デバイスに関連付けられたＧＰＳ受信器、及び前記デバイスの位置を入力することのうちの一方により決定される、請求項９に記載の方法。
【請求項１１】
前記企業に関するデータを報告することが、データが報告されたときにデバイスのユーザにゲームのポイントをもたらす、請求項１に記載の方法。
【請求項１２】
前記デバイスのユーザが、企業に関する情報を取得している、他のデバイスの他のユーザとチャターすることを更に含む、請求項１に記載の方法。
【請求項１３】
企業に関するデータを報告するためのシステムであって、
前記企業の地理的位置のマップを提供するデバイスであって、前記企業が前記マップ上にマーカーにより表される、デバイスと、
入力装置であって、
前記企業の名称を表示するために前記マーカーを選択することを前記デバイスのユーザに可能にし、
前記企業に関する情報を入力するためのオプションを提供するためのツールバーを開くための命令を受信し、
前記オプションのうちの少なくとも１つにより前記企業に関する情報を受信する
ための、入力装置と、
前記情報を中央データベースに送信するための接続部と、
を備える、システム。
【請求項１４】
前記ツールバーが、前記企業が住居外で営まれているかどうかに関するデータを入力するためのアイコンと、前記企業の前記位置の画像を提供するためのカメラと、前記企業の前記位置のマップと、前記企業に関する情報を入力するためのノートブックと、を含む、請求項１３に記載のシステム。
【請求項１５】
前記ツールバー上のアイコンを選択することが、前記企業に関する前記情報を入力するための画面を前記デバイスに表示させる、請求項１５に記載のシステム。
【請求項１６】
前記企業が住居外で営まれているかどうかに関するデータを入力するための前記アイコンを選択することが、イエスボタン、ノーボタン及び提出ボタンを伴う画面を前記デバイスに表示させる、請求項１５に記載のシステム。
【請求項１７】
カメラの前記アイコンを選択することが、前記デバイスのカメラにより生成された画像と、前記画像を報告のために選択するためのボタンと、を前記デバイスに表示させる、請求項１４に記載のシステム。
【請求項１８】
前記画像が、前記企業の画像をキャプチャするために前記カメラを使用することにより取得される、請求項１７に記載のシステム。
【請求項１９】
マップアイコンを選択することが、ある位置に前記企業があるかどうか、その位置で企業が運営されているようであるかどうか、前記位置が空いているかどうか、前記位置に異なる企業が存在するかどうか、及び、前記位置で前記異なる企業が営業を行っているようであるかどうかのそれぞれについての情報を入力するための画面を前記デバイスに表示させる、請求項１５に記載のシステム。
【請求項２０】
ノートブックアイコンを選択することが、前記企業の電話番号、前記企業の担当者が誰であるか、前記企業の担当者の肩書、及び前記企業のウェブサイトのユニフォーム・リソース・ロケータのそれぞれについての情報を入力するための画面を前記デバイスに表示させる、請求項１５に記載のシステム。
【請求項２１】
前記デバイスの現在位置を決定するための装置を更に備える、請求項１３に記載のシステム。
【請求項２２】
前記デバイスの前記現在位置を決定するための前記装置が、前記デバイスに関連付けられたＧＰＳ受信器、及び前記デバイスの位置を入力するための画面のうちの一方である、請求項２１に記載のシステム。
【請求項２３】
企業に関するデータを報告することが、データが報告されたときに前記デバイスのユーザにゲームのポイントをもたらす、請求項１３に記載のシステム。
【請求項２４】
前記デバイスのユーザが、企業に関する情報を取得している、他のデバイスの他のユーザとチャターすることを可能にするように構成される、請求項１３に記載のシステム。
【請求項２５】
コンピュータシステムにより実行されると、企業に関するデータを報告するための方法のステップの実施をもたらすコンピュータプログラムの命令を記憶する、コンピュータ読み取り可能な非一時的な記憶媒体であって、前記方法が、
プロセッサ、メモリ及びディスプレイを有する前記コンピュータシステムを有するデバイス上で、前記ディスプレイ上に前記企業の地理的位置のマップを提供することであって、前記企業が前記マップ上にマーカーにより表される、前記マップを提供することと、
前記マーカーが選択された場合に前記企業の名称を表示することと、
前記企業に関する情報を入力するためのオプションを提供するためにツールバーを開くための命令を受信することと、
前記オプションのうちの少なくとも１つにより前記企業に関する情報を前記デバイスに提供することと、
前記デバイスを使用することにより前記情報を中央データベースに送信することと、
を含む、記憶媒体。
【発明の詳細な説明】
【技術分野】
【０００１】
本開示は、企業に関する情報を得るための方法及びシステムに関する。
【背景技術】
【０００２】
企業は、他の企業についての情報を常に必要としている。企業は、別の企業と取引を行うべきかどうかについての情報、特に、別の企業が本当に営業中であり、受け取った商品及びサービスに対する支払能力を有するかどうかに関連する情報を必要とし得る。
【０００３】
企業の状態に関する情報を取得するための確立された多くの技術がある。個々の企業は、特に、会社の株式が公開取引されており、会社が定期的な報告義務を課されている場合に、個別に調査され得る。
【０００４】
Ｄｕｎ＆Ｂｒａｄｓｔｒｅｅｔ，Ｉｎｃ．は、多くの人から企業についての情報の世界有数のサプライヤとみなされている。Ｄｕｎ＆Ｂｒａｄｓｔｒｅｅｔ，Ｉｎｃ．は、供給する情報の正確さを保証するための効果的な多くの技術を使用しているが、企業の状態に関する情報を蓄積し、その精度を確認するために、より良好且つより効率的なシステム及び方法を常に探求している。
【発明の概要】
【発明が解決しようとする課題】
【０００５】
企業の状態並びに商品及びサービスに対するその支払可能性を決定するための従来の多くの技術についての困難さは、誤り又は欺瞞に左右されることである。
【０００６】
よって、企業についてのデータ、特に、公開情報が乏しく、利用可能な情報が不正確であり、又は操作される場合がある、小企業についてのデータの収集を容易にするためのシステム及び方法が必要とされている。
【０００７】
概して、本開示のある実施形態は、特に、個人がある企業の付近に一時的にいるときに、企業に関する情報の提出（送信）に対するインセンティブをもたらすためのシステム及び方法に向けられる。インセンティブは、提出に対するポイントを割り当てることによって、及び、情報を提出することの結果として蓄積されるポイント数に関連する企業評価又はインセンティブをもたらす、競争的なゲームを開始することによって、もたらされ得る。
【課題を解決するための手段】
【０００８】
本開示は、企業に関するデータを報告するための方法及びシステムを対象とする。方法は、デバイス上に企業の地理的位置のマップを提供することであって、企業がマップ上にマーカーにより表される、マップを提供することと、企業の名称を表示するためにマーカーを選択することと、企業に関する情報を入力するためのオプションを提供するためのツールバーを開くための命令を受信することと、オプションのうちの少なくとも１つにより企業に関する情報をデバイスに提供することと、デバイスを使用することにより情報を中央データベースに送信することと、を含む。
【０００９】
ツールバーは、企業が住居外で営まれているかどうかに関するデータを入力するためのアイコンと、企業の位置の画像を提供するためのカメラと、企業の位置のマップと、企業に関する情報を入力するためのノートブックと、を含むことができる。ツールバー上のアイコンを選択することは、企業に関する情報を入力するための画面をデバイスに表示させる。
【００１０】
企業が住居外で営まれているかどうかに関するデータを入力するためのアイコンを選択することは、イエスボタン、ノーボタン及び提出（送信）ボタンを伴う画面をデバイスに表示させる。カメラのアイコンを選択することは、デバイスのカメラにより生成された画像と、画像を報告のために選択するためのボタンと、をデバイスに表示させる。画像は、企業の画像をキャプチャするためにカメラを使用することにより取得される。
【００１１】
マップアイコンを選択することは、ある位置に企業があるかどうか、その位置で企業が運営されているようであるかどうか、その位置が空いているかどうか、その位置に異なる企業が存在するかどうか、及び、その位置で異なる企業が営業を行っているようであるかどうかのそれぞれについての情報を入力するための画面をデバイスに表示させる。
【００１２】
ノートブックアイコンを選択することは、企業の電話番号、企業の担当者が誰であるか、企業の担当者の肩書、及び企業のウェブサイトのユニフォーム・リソース・ロケータのそれぞれについての情報を入力するための画面をデバイスに表示させる。
【００１３】
デバイスの現在位置は、デバイスに関連付けられたＧＰＳ受信器を使用することにより決定され得る。
【００１４】
企業に関するデータを報告することは、デバイスのユーザにゲームのポイントをもたらす。システム及び方法は、デバイスのユーザが、企業に関する情報を取得している、他のデバイスの他のユーザとチャターすることを可能にすることができる。
【００１５】
本開示の別の実施形態は、コンピュータシステムにより実行されると、企業に関するデータを報告するための方法のステップの実施をもたらす、コンピュータプログラムの命令を記憶する、コンピュータ読み取り可能な非一時的な記憶媒体であって、方法が、プロセッサ、メモリ及びディスプレイを有するコンピュータシステムを有するデバイス上で、ディスプレイ上に企業の地理的位置のマップを提供することであって、企業がマップ上にマーカーにより表される、提供することと、マーカーが選択された場合に企業の名称を表示することと、企業に関する情報を入力するためのオプションを提供するためにツールバーを開くための命令を受信することと、オプションのうちの少なくとも１つにより企業に関する情報をデバイスに提供することと、デバイスを使用することにより情報を中央データベースに送信することと、を含む、記憶媒体に向けられる。
【図面の簡単な説明】
【００１６】
【図１】システムの動作の一部のフローチャートである。
【図２Ａ−Ｃ】システム及び方法が実施されるモバイルデバイスの画面を示している。
【図３Ａ−Ｈ】企業の写真を取得するための、及びチャターに接続するための、カメラの使用を例示している。
【図４Ａ−Ｅ】マップ機能が使用されるときのモバイルデバイスの画面を示している。
【図５】アクション・アイコン・ツールバー、家アイコン及びカメラアイコンを使用する際のステップを示すフローチャートである。
【図６Ａ−Ｄ】企業が住宅に拠点を置くときに報告するために使用されるモバイルデバイスの画面を示している。
【図７Ａ−Ｅ】企業が住宅以外の通常の企業位置に拠点を置くときに使用されるモバイルデバイスの画面を示している。
【図８Ａ】ユーザがマップのロックを解除し、チャター通信に登録する方法のフローチャートである。
【図８Ｂ】マップアイコンの使用のフローチャートである。
【図９Ａ−Ｈ】図８Ａのフローチャートのステップに従うときのモバイルデバイスの画面を示している。
【図１０Ａ−Ｈ】マップアイコンを使用するときのモバイルデバイスの画面を示している。
【図１１Ａ】ユーザがノートブックのロックを解除する方法のフローチャートである。
【図１１Ｂ】ノートブックアイコンの使用のフローチャートである。
【図１２Ａ−Ｄ】図１１Ｂのフローチャートに従うときのモバイルデバイスの画面を示している。
【図１３】モバイルデバイス上のサイドナビゲーションのフローチャートである。
【図１４】前述されたようなモバイルデバイスのコンピュータシステムのブロック図である。
【発明を実施するための形態】
【００１７】
２つ以上の図面に共通する構成要素又は特徴は、図面のそれぞれで同じ参照数字で示されている。
【００１８】
通常、本明細書に記述されるシステム及び方法を使用するために、モバイルデバイス（スマートフォン又はタブレット端末など）には、アプリケーションをモバイルデバイスにダウンロードするサーバとすることができるアプリケーションハブ（図示されていない）からアプリケーション又は「Ａｐｐ」がダウンロードされる。本明細書に記述される方法でモバイルデバイスを使用する従業員を雇用する会社は、１０２でのログインに際してアクティブディレクトリ１００中のデータに基づいて、従業員がアクセスを有することを確認する。ハブディレクトリ１０４は、従業員以外でアクセスを許可された個人のログイン情報を確認するための情報を含むことができる。
【００１９】
図１において、「Ａｐｐ」がモバイルデバイスにダウンロードされた後に、通常、モバイルデバイスのユーザは、１０６にて、図２Ａの画面などのログイン画面を使用することによりログインし、そこには、それぞれユーザネーム用及びパスワード用のフィールド２０２及び２０４、並びに継続ボタン２０６がある。１０６での初回ログインの最中にのみ、１０８にて、図２Ｂに例示されるような画面が、Ａｐｐのソフトウェアの使用のための契約条件２１０を表示する。ユーザは、ユーザがＡｐｐを使用したい場合、これらの契約条件に同意するためにボタン２１２を作動させる。
【００２０】
画面は、一般にタッチスクリーンであるので、当該技術において周知であるように、ボタン若しくは作動領域に指若しくはスタイラスで単に触れることによって、又は、それらのボタン若しくは領域にカーソルを移動させ、それらを単に「クリック」することによって、それらのボタン又は領域が作動され得ることは理解されるであろう。
【００２１】
図１において、１１０にて、ユーザは、データを取得するためにシステムが現在位置を使用したいと思うことを告げられる。現在位置は、デバイスに関連付けられたＧＰＳ受信器を使用することにより決定され得る。ある代替として、デバイスの位置は、通りの住所、２つの通りの交差点、又は既知のＧＰＳ座標として、ユーザインターフェース（図示されていない）によりデバイスに入力され得る。
【００２２】
図２Ｃにおいて、画面部分２１４が現れ、現在位置の使用を許可するか許可しないかのオプションをユーザに与え、よって、何らかの理由によりユーザが自分の現在位置を知られたくない場合に、幾分かのプライバシーの程度を維持する可能性をユーザにもたらす。ボタン２１６を使用することによって、ユーザは、自分の現在位置の使用を許可することを断ることができる。ボタン２１８を使用することによって、ユーザは、得られたデータと関連して自分の現在位置及びその後の位置を使用することを許可することができる。
【００２３】
図１において継続して、初回ログイン時、又は所望される場合には後に、１１２にて、モバイルデバイス上のカメラの使用に関する第１のチュートリアルが表示のために起動される。図３Ａから図３Ｈにより表されるような一連の画面がチュートリアルを提供する。図３Ａにおいて、カメラチュートリアルが開始され、ユーザの第１のタスクが自分の領域の企業の写真を撮影することであり、撮影され提出された各写真がポイントを獲得することを示している。ユーザは、継続ボタン３０２を押すことにより継続する。図３Ｂにおいて、領域の局所的な市街地マップが現れている。使用されているデジタルデバイスの位置は、大きな円３０６により囲まれた小さな円３０４として現れる。企業は、市街地マップ上にピン３０８として現れる。ユーザは、企業を選択するために、ユーザがピンをクリックしなければならないことを指示され、先へ進み試してみることを促される。
【００２４】
図３Ｃを参照すると、図３Ｂにおいてピンを選択することにより企業が選択されると、カメラ３１２を示し、且つ、アイコン３１４により表されるようにカメラのロックが解除されているか、アイコン３１６に表されるようにロックされているかを示す、表示領域３１０が現れる。市街地マップは、拡大スケールで現れる。ユーザは、ポイントが獲得されると、カメラがアップグレードされ、他の装備のロックが解除されることを知らされる。ユーザは、開始するためにカメラアイコンをクリックすることを勧められる。
【００２５】
図３Ｄにおいて、図３Ｃでカメラアイコンを選択した後、企業と関連する、店頭などの画像が表示される。ユーザは、表示された画像の取得をキャンセルするためにボタン３１６を押すか、表示された画像をキャプチャするためにボタン３１８を押すオプションを有する。図３Ｅにおいて、画像は、適切にフォーカスされており、再び、ユーザは、ボタン３２０を用いて画像をキャンセルするか、ボタン３２２を用いて画像をキャプチャするオプションを与えられる。
【００２６】
ユーザが図３Ｅのボタン３２２を作動させ画像をキャプチャする場合、次いで、図３Ｆに例示されるような画面が現れ、これが、写真が提出されたこと、及びその提出により獲得したポイント数をユーザに知らせる。３２４にて、個人及び自分の獲得した合計ポイントのリストが表示され得る。ユーザは、自分が、自分の領域で実際の企業について取り掛かる用意ができたようであることを知らされる。ユーザは、ボタン３２６を作動させることによりそのようにし得る。
【００２７】
図３Ｇにおいて、ユーザは、自分がゲームのレベル１にあることを知らされ、より多くのポイントを獲得することにより継続することを促される。ユーザは、ボタン３２８を押すことにより継続する。
【００２８】
図１を再び参照すると、１１４にて、チュートリアルを終了し、使用されているデバイスのカメラのロックを解除する。１１６にて、図３Ｈに対応して、ユーザは、セールスフォース・チャター（ｓａｌｅｓ  ｆｏｒｃｅ  ｃｈａｔｔｅｒ）に接続するオプションを与えられる。このような接続は、ユーザが自分の業績を仲間うちで共有し、仲間うちで評判を確立することができるので、本明細書に記述されるモバイル・リポータ・アプリケーションの使用をより楽しいものにする。モバイルデバイスをセールスフォース・チャター・アカウントに接続するために、ユーザは、３３０にてボタンを作動させることによりログインすることができる。しかし、ユーザは、現在は自分がチャターに接続したくないことを、ボタン３３２を用いて示してもよい。ユーザがチャターに全く関心がない場合、このことは、ボタン３３４を作動させることにより示され得る。
【００２９】
図１において、１１８にて、１１６での決定に拘らずに、フローは、マップ機能に続く。１２０にて、ユーザがログオンするときのデフォルト表示であり得るマップ表示モードに入る。１２２にて、マップは、ユーザのデバイスの位置にセンタリングされ、その位置に対して青い点が表示される。１２４にて、図４Ａ、図４Ｂ及び図４Ｃに表されるように、近隣領域の企業を表すために様々な色の様々なピン３０８が使用される。例えば、赤いピンは、単一の事業のみの企業について使用されてもよく、紫のピンは、所与の位置の複数の事業にまたがる企業について使用されてもよい。１２６にて、図４Ａ、図４Ｂ及び図４Ｃに表されるように、ユーザは、マップをさまざまな方向に移動させ、ピンチイン又はピンチアウトして、マップ上でズームイン又はズームアウトすることができる。ピン３０８は、ユーザがマップを調節すると自動的に再配置される。
【００３０】
図４Ａのアイコン４００（又はマップモードの任意の表示）は、図１３に関して更に記述されるようにサイドナビゲーションのために使用され得る。
【００３１】
１２８にて、図４Ｂに表されるように、ユーザは、その位置の企業の名称又は複数の名称及び住所を表示するための表示領域４０２、４０４などを示すために、ピン３０８をクリックし得る。この位置の各企業について、又はこの位置の単一の企業について、次いで企業の名称及び住所を伴うインジケータが現れる。インジケータ４０２又は４０４をクリックすると、図４Ｃに示され、図５及び図６Ａに論じられるように、アクション・アイコン・ツールバー４０６の形態のアイコンが開く。アクション・アイコン・ツールバー４０６は、家４０８、カメラ４１０、マップ４１２、及びノートブック４１４を含む、４つのアイコンを有する。
【００３２】
図１の１３２にて、ユーザは、領域内の企業のリストをその名称、住所及びユーザのデバイスからの距離をそれぞれ伴って表示する、図４Ｄに例示されるようなリスト表示を（リストという単語を有する任意の表示におけるリストという単語のクリックにより）選択し得る。１３４にて、リスト上の任意の企業をクリックすると、図４Ｅに示され、図５に関して更に記述されるようなアクション・アイコン・ツールバー４０６が開く。
【００３３】
図５において、５０２にて、アクション・アイコン・ツールバー４０６は、図６Ａに表されるようにアクセスされる。５０４にて、アクション・アイコン・ツールバー４０６は、図６Ａに示されるように開かれる。図６Ｂにおいて、ピン３０８をクリックすると、選択されたピン３０８の位置にある企業のリストが表示される。
【００３４】
５０６にて、デバイスが最初に使用される際に、家アイコン４０８及びカメラアイコン４１０は、選択のために利用可能となる。しかし、マップアイコン４１２及びノートブックアイコン４１４はロックされている。
【００３５】
５０８にて、家アイコンは作動され得る。５１０にて、ユーザは、図６Ｃに表されるような画面を提示され、そこでは、ユーザは、住所が家又はアパートの住所などの居住住所であるかどうかについて問合せを受ける。
【００３６】
回答がイエスである場合、ボタン６１０が作動される。回答がノーである場合、ボタン６１２が作動される。イエス又はノーの選択が行われた後、情報は、６１４のクリックにより提出される。図５の５１２にて、提出された画面がユーザに対して表示される。このことは、図６Ｄに示されており、そこでは、情報が一旦提出されると、インジケータ６１６が提出をメモし、図３Ａの３２４のように、最高ポイントを有するリーダーを表示する。ユーザは、ボタン６２０を作動させることによりマップ表示に戻る。
【００３７】
図５において、５１４にてカメラアイコンが選択された場合、図７Ａ及び図７Ｂに示されるように、５１６には、カメラについての２つのオプションがある。図７Ｃに示されるように、ここでは、キャンセルボタン７１０及びキャプチャボタン７１２のうちの一方を使用する。キャプチャボタン７１２が選択された場合、次いで、５１８には、図７Ｄに表されるように２つのオプションがある。Ｘマーク７１４が選択された場合、写真は処分される。チェックマーク７１６が選択された場合、写真は提出され、５２０にて、図７Ｅに示されるように、提出された画面７１８が表示される。
【００３８】
図８Ａにおいて、８００にて、ユーザが十分なポイント数を獲得した場合、マップのロックは解除され、８０２にて、図９Ａに示されるように、第２のチュートリアルが開始される。ユーザは、表示を図９Ｂの表示に変更するために、９００にて継続ボタンを作動させる。ユーザは、次いで、円３０４により表されるような使用されているモバイルデバイスの付近の企業を選択するために、ピン９０２をクリックするように指示される。図９Ｃにおいて、ツールバー９０４が、情報を提出する方法の選択肢を提供する。ユーザは、（カメラアイコン９０８又はロックアイコン９１０から区別されるように）マップアイコン９０６をクリックするように指示される。図９Ｄにおいて、データベース中に現在ある情報が表示され、Ｊｏｅ’ｓ  Ｃｈｉｃｋｅｎ  Ｓｈａｃｋが１０３  ＪＦＫ  Ｐａｒｋｗａｙにあるかどうかの確認をユーザに依頼する。Ｊｏｅ’ｓ  Ｃｈｉｃｋｅｎ  Ｓｈａｃｋがその位置にない場合、ユーザは、ノー９１４を選択し、どの企業がその位置にあるかに関するデータの入力を可能にするために異なる画面が現れる。Ｊｏｅ’ｓ  Ｃｈｉｃｋｅｎ  Ｓｈａｃｋがその位置に存在するという回答である場合、ユーザはイエス９１２を回答する。図９Ｅの表示が提示される。ユーザは、企業が「営業している」ようであるか、又は企業として実際に運営しているか、及び「営業していない」ようではないかどうかを示すように依頼される。ユーザが、この質問にイエス９１６又はノー９１８のいずれかとして回答し、９２０にて継続を選択すると、チュートリアルが完了し、図９Ｆの表示が示される。次いで、図８Ａの８０４にて、マップのロックは解除される。ボタン９２２を選択することによって、ユーザは、マップへ行くことができる。しかし、初めに、８０６にて、図９Ｇに表されるように、ユーザがチャター通信に事前登録していなかった場合、ユーザは、チャター通信に登録するオプションを与えられ、これは、内部セールスフォース掲示板とすることができる。チャター通信は、ユーザが仲間うちで業績を共有すること、及び仲間うちで評判を確立することを可能にする点、並びにデータ蓄積プロセスに楽しみの要素を加える点で有利である。
【００３９】
ユーザがチャター通信に事前登録していなかった場合、図９Ｇの画面上で、ユーザは、ボタン９２４を選択することによりログインすることができる。ユーザは、ボタン９２６を選択することにより、チャター通信への登録を保留することができる。ユーザがチャターに関心がなく、次の画面に継続したい場合、ユーザはボタン９２８を選択することができる。図８Ａの８０８にて、ユーザは、図９Ｈに表されるようなメインマップに戻ることができ、そこには、アクション・アイコン・ツールバー９３０が表示される。
【００４０】
図８Ｂは、８１０にて開始する、マップアイコンの使用を例示している。マップアイコンは、ツールバー４０６を起動させるために、図１０Ａのピン１００２又は図１０Ｂのリスト中にリスト化された企業のうちの１つをクリックすることにより選択され得る。いずれの場合も、８１２にて、マップアイコン４１２が選択された場合、ユーザは、指定された企業が、選択されたピン１００２により表された住所に存在するかどうかに関する問合せを提示する、図１０Ｃのような画面を提示される。ボタン１００４を用いて企業が存在するとユーザが回答し、ボタン１００６を用いて、それが「営業を行っている」ように見えるとユーザが回答した場合（図８Ｂの８１４）、８１６にて、提出ボタン１００９を使用することにより提出が行われ、提出された画面６１６は、図１０Ｄに示されるように表示される。図１０Ｅにおいて、企業が存在しない場合、このことは、ボタン１００８を作動させることにより示される。企業があったはずである区画が空いているかどうかに関する質問が出る（図８Ｂの８２０）。区画が空いている場合、このことは、図１０Ｅのボタン１０１０を選択することにより示される（図８Ｂの８２２に対応する）。代わりに新しい企業が存在する場合、ボタン１１１１が選択される。提出ボタン１０１３を選択することにより提出が行われる。図１０Ｆの提出された画面６１６は、次いで表示される（図８Ｂの８２４に対応する）。
【００４１】
図１０Ｇにおいて、想定された企業が存在しない場合、ユーザはボタン１０１８を選択する。新しい又は異なる企業がその住所にある場合、ユーザはボタン１０２０を選択する（図８Ｂの８２６に対応する）。１０２４にて、新しい企業の名称を入力するためのフィールドが提供される。図８Ｂの８２８に対応して、１０２６にて、ユーザは、新しい企業が「営業している」ようであることを示すことができ、又は、１０２８にて、ユーザは、新しい企業が「営業している」ようではないことを示すことができる。８３０にて、ユーザは、ボタン１０３０を作動させることにより、行われた選択を提出するためのオプションを有する。提出されると、図１０Ｈの提出された画面６１６は、図８Ｂの８３２に対応して表示される。
【００４２】
図１１Ａを参照すると、１１００にて、ユーザは、ノートブックのロックを解除するのに十分なポイントを獲得している。１１０２にて、ユーザは、ノートブックの使用についての第３のチュートリアルに参加する。このチュートリアルは、本明細書において詳細に記述されないが、概して、図１１Ｂ、図１２Ａ、図１２Ｂ、図１２Ｃ及び図１２Ｄに関して後述されるステップに従うことをユーザに指示する。１１０４にて、チュートリアルが完了すると、ノートブックのロックが解除される。１１０６にて、ユーザが事前登録していなかった場合、ユーザは、チャター通信に登録することができる。１１０８にて、ユーザはメインマップに戻る。
【００４３】
図１２Ａを参照すると、位置を表すピン３０８がユーザにより選択されている。アクション・アイコン・ツールバー４０６が現れ、ユーザはノートブックアイコン４１４を選択する（図１１Ｂの１１１０）。代わりに、ユーザは、図１２Ｂのリストから企業を選択する。アクション・アイコン・ツールバー４０６が現れ、ユーザはノートブックアイコン４１４を選択する。いずれの場合も、図１２Ｃのデータ入力画面１２００が表示される。図１１Ｂの１１１２にて、ユーザは、図１２Ｃの表示のフィールド１２０１に企業の電話番号を入力するか、又はユーザが電話番号を知らないことをボタン１２０２の作動により示すための機会を有する。１１１４にて、ユーザは、企業の担当者の名称を入力するためのフィールド（図１２Ｃのフィールド１２０３）、その人の肩書を入力するためのフィールド１２０４、又はユーザが知らないことをボタン１２０５の作動により示すためのフィールドを提示される。１１０６にて、ユーザは、図１２Ｃのフィールド１２０６にウェブサイトのＵＲＬを入力するか、ユーザが企業のウェブサイトのＵＲＬを知らないことを示すボタン１２０８を作動させることを依頼される。
【００４４】
１１１８にて、提示された任意の質問（電話番号、誰が担当であるか、ＵＲＬ）が「知らない」以外で回答された場合、ユーザは、提出ボタン１２１０を作動させるオプションを有し、図１２Ｄの提出された画面が現れる（図１１Ｂの１１２０）。
【００４５】
図１３を参照すると、１３００にて、（図４Ａの）アイコン４００を作動させることにより任意のマップ表示からサイドナビゲーションにアクセスし得る。４つの選択肢が、好ましくは各選択肢のための画面を用いて、ユーザに提示される。１３０２にて、ユーザは、必ずしも限定されないが、プライバシーポリシー、契約条件、及び本明細書に記述されるアプリケーションの動作に関する説明文のためのリンクを含む選択メニューを１３０４にて提供するアバウト画面を選択することができる。
【００４６】
１３０６にて、ステータス画面が選択され得る。３０８にて、ゲームにおけるユーザの現在レベル、次のレベルに到達するのに必要なポイント、ロック解除された装備のリスト、リーダーボード上のユーザの位置、及びバッジ用のアイコンを示す画面が表示される。１３１０にてユーザがバッジアイコンを選択した場合、収集された全てのバッジが１３１２にて表示される。１３１４にて、ユーザはバッジをクリックすることができる。１３１６にて、バッジの名称、そのアイコン、及びそのバッジを獲得するために必要とされるものの説明が表示される。
【００４７】
１３１８にて、ユーザは、サイドナビゲーションから離れ、マップ表示画面に戻るためのオプションを与えられる。
【００４８】
１３２０にて、ユーザは、チャターをオン又はオフに調整するオプションを与えられる。１３２２にて、チャターがオフにされた場合、セールスフォース・チャターに対する提出ができなくなる。
【００４９】
プラットフォームシステムは、前述されたように得られた、モバイルデバイスからのデータを受信する。次いで、データは、企業情報データベースの一部となり、名称、位置、財務状況、企業活動のタイプ、及び企業に関する他のデータを含めて企業について報告することを助けるために、他の企業データと併せて使用される。
【００５０】
よって、本明細書に記述される装置及び方法は、特定の位置の近くにある企業のリストを表示すること、その位置に企業が存在し、その企業が運営されていることを確認すること、新しい企業に関する新しい企業データ（その写真を含む）を追加することを可能にする。データを取得するために使用されているデバイス中のＧＰＳ受信器からのＧＰＳデータの使用は、データを取得している人が、報告された位置に実際にいたことを保証する。会社の従業員、又は一部の場合には従業員でない人は、データが提出されるたびにポイントが与えられる報酬システムのゲームのような特徴により参加を動機付けられる。情報を受信するプラットフォームは、本明細書に開示されるシステム及び方法を使用することにより情報が得られる、企業についての貴重な情報を作成するようにデータを処理するために、一組の規則又は規則エンジンを有し得る。
【００５１】
図１４を参照すると、データを取得するために使用されるデバイス（スマートフォン若しくはタブレット、又はＰＤＡなどの他のポータブルデバイス）内に一般的に含まれる、参照数字１４００により一般的に表される本開示のシステムが示されている。システム１４００は、ネットワーク１４３０、例えばインターネットに接続されたコンピュータ１４０５を含む。
【００５２】
コンピュータ１４０５は、ユーザインターフェース１４１０、プロセッサ１４１５、及びメモリ１４２０を含む。コンピュータ１４０５は、汎用マイクロコンピュータに実装され得る。本明細書においてはコンピュータ１４０５がスタンドアロンデバイスとして表されているが、そのように限定されるものではなく、代わりに、ネットワーク１４３０を介して他のデバイス（図示されていない）に接続されてもよい。取得された企業についてのデータを転送するための他の手立てがない限り、ネットワークを用いた、このような接続が必要とされる。ネットワークは、インターネット、電話ネットワーク、仮想プライベートネットワーク、又は任意の他の適したデータ転送ネットワークであってもよい。
【００５３】
プロセッサ１４１５は、命令に応答し命令を実行する論理回路で構成される。
【００５４】
メモリ１４２０は、プロセッサ１４１５の動作を制御するためのデータ及び命令を記憶する。メモリ１４２０は、ランダムアクセスメモリ（ＲＡＭ）、ハードドライブ、読み取り専用メモリ（ＲＯＭ）、又はそれらの組合せで実装され得る。メモリ１４２０の１つの構成要素はプログラムモジュール１４２５である。
【００５５】
プログラムモジュール１４２５は、本明細書に記述される方法を実行するようにプロセッサ１４１５を制御するための命令を含む。例えば、プログラムモジュール１４２５の実行の結果として、プロセッサ１４１５は、特定の位置の企業に関するデータを得るための、本明細書に記述されるシステム及び方法を実施するために必要とされる全ての機能を提供することができる。
【００５６】
本明細書において、用語「モジュール」は、スタンドアロン構成要素として、又は補助的な複数の構成要素の集積された構成として具体化され得る、機能的な動作を意味するために使用される。よって、プログラムモジュール１４２５は、単一のモジュールとして、又は、互いに協働して動作する複数のモジュールとして実装され得る。さらに、プログラムモジュール１４２５は、メモリ１４２０にインストールされ、従ってソフトウェアとして実装される、と本明細書に記述されるが、それは、ハードウェア（例えば電子回路）、ファームウェア、ソフトウェア、又はそれらの任意の組合せのうちのいずれかで実装されてもよい。
【００５７】
ユーザインターフェース１４１０は、ユーザが情報及びコマンド選択をプロセッサ１４１５に通信できるようにするための、キーボード又は音声認識サブシステムなどの入力デバイスを含む。具体的に、本明細書に記述される方法を実施するために使用されるべきデータは、ユーザインターフェース１４１０を用いて入力されてもよく、ネットワーク１４３０からダウンロードされてもよい。ユーザインターフェース１４１０は、非限定的にディスプレイ又はプリンタを含む、出力デバイスも含む。非限定的に、マウス、トラックボール、又はジョイスティックを含むカーソルコントローラは、追加情報及びコマンド選択をプロセッサ１４１５に通信するために、ユーザがディスプレイ上のカーソルを操作することを可能にする。
【００５８】
プロセッサ１４１５は、本明細書に記述される方法の実行の結果をユーザインターフェース１４１０に出力する。あるいは、プロセッサ１４１５は、ネットワーク１４３０を介してリモートデバイス（図示されていない）に出力を向けることができる。
【００５９】
プログラムモジュール１４２５がメモリ１４２０に既にロードされているとして示されるが、プログラムモジュール１４２５は、メモリ１４２０へのその後のロードのために記憶媒体１４３５上に構成されてもよい。記憶媒体１４３５は、有形の媒体上にプログラムモジュール１４２５を記憶する従来の任意の記憶媒体とすることができる。記憶媒体１４３５の例は、非限定的に、フロッピーディスク、コンパクトディスク、磁気テープ、読み取り専用メモリ、光学記憶媒体、ユニバーサル・シリアル・バス（ＵＳＢ）フラッシュドライブ、デジタル・バーサタイル・ディスク、及びジップドライブを含む。代わりに、記憶媒体１４３５は、リモート記憶システム上に位置し、ネットワーク１４３０を介してコンピュータ１４０５に接続される、ランダムアクセスメモリ又は他のタイプの電子ストレージとすることができる。
【００６０】
本開示は、コンピュータシステムにより実行されると、本明細書に記述される方法のステップの実施をもたらすコンピュータプログラムの命令を記憶するコンピュータ読み取り可能な非一時的な記憶媒体で具体化されてもよいことが理解されるであろう。このような記憶媒体は、上記の説明で述べられた記憶媒体のいずれかを含んでもよい。
【００６１】
本明細書に記述される技術は、例示であり、本開示についての特定の限定を暗示していると解釈されるべきではない。各種の代替、組合せ及び修正が当業者により考案され得ることを理解されたい。例えば、本明細書に記述されるプロセスと関連するステップは、ステップ自体により特に指定されたり規定されたりしない限り、任意の順序で実施され得る。本開示は、添付の請求項の範囲に属する、このような代替、修正及び変形の全てを包含することを意図している。
【００６２】
用語「備える（ｃｏｍｐｒｉｓｅｓ）」又は「備える（ｃｏｍｐｒｉｓｉｎｇ）」は、述べられる特徴、整数、ステップ又は構成要素の存在を指定するものと解釈されるべきであるが、１つ以上の他の特徴、整数、ステップ若しくは構成要素又はそれらのグループの存在を排除するものではない。
【図１】
2016541199.tif 000003
【図２Ａ−Ｃ】
2016541199.tif 000004
【図３Ａ−Ｄ】
2016541199.tif 000005
【図３Ｅ−Ｈ】
2016541199.tif 000006
【図４Ａ−Ｃ】
2016541199.tif 000007
【図４Ｄ−Ｅ】
2016541199.tif 000008
【図５】
2016541199.tif 000009
【図６Ａ−Ｄ】
2016541199.tif 000010
【図７Ａ−Ｅ】
2016541199.tif 000011
【図８Ａ−Ｂ】
2016541199.tif 000012
【図９Ａ−Ｄ】
2016541199.tif 000013
【図９Ｅ−Ｈ】
2016541199.tif 000014
【図１０Ａ−Ｄ】
2016541199.tif 000015
【図１０Ｅ−Ｈ】
2016541199.tif 000016
【図１１Ａ−Ｂ】
2016541199.tif 000017
【図１２Ａ−Ｄ】
2016541199.tif 000018
【図１３】
2016541199.tif 000019
【図１４】
2016541199.tif 000020
【手続補正書】
【提出日】平成27年10月6日(2015.10.6)
【手続補正１】
【補正対象書類名】特許請求の範囲
【補正対象項目名】全文
【補正方法】変更
【補正の内容】
【特許請求の範囲】
【請求項１】
企業に関するデータを報告するための方法であって、
デバイス上に前記企業の地理的位置のマップを提供することであって、前記企業が前記マップ上にマーカーにより表される、前記マップを提供することと、
前記企業の名称を表示するために前記マーカーを選択することと、
前記企業に関する情報を入力するためのオプションを提供するためのツールバーを開くための命令を受信することと、
前記オプションのうちの少なくとも１つにより前記企業に関する情報を前記デバイスに提供することであって、前記オプションの１つは、ある位置に前記企業があるかどうか、その位置で企業が運営されているようであるかどうか、前記位置が空いているかどうか、前記位置に異なる企業が存在するかどうか、及び、前記位置で前記異なる企業が営業を行っているようであるかどうかのそれぞれについての情報を入力するための画面を前記デバイスに表示することと、
前記デバイスを使用することにより前記情報を中央データベースに送信することと、
を含む、方法。
【請求項２】
前記ツールバーが、前記企業が住居外で営まれているかどうかに関するデータを入力するためのアイコンと、前記企業の前記位置の画像を提供するためのカメラと、前記企業の前記位置のマップと、前記企業に関する情報を入力するためのノートブックと、を含む、請求項１に記載の方法。
【請求項３】
前記ツールバー上のアイコンを選択することが、前記企業に関する前記情報を入力するための画面を前記デバイスに表示させる、請求項２に記載の方法。
【請求項４】
前記企業が住居外で営まれているかどうかに関するデータを入力するための前記アイコンを選択することが、イエスボタン、ノーボタン及び提出ボタンを伴う画面を前記デバイスに表示させる、請求項３に記載の方法。
【請求項５】
カメラの前記アイコンを選択することが、前記デバイスに関連付けられたカメラにより生成された画像と、前記画像を報告のために選択するためのボタンと、を前記デバイスに表示させる、請求項２に記載の方法。
【請求項６】
前記画像が、前記企業の画像をキャプチャするために前記カメラを使用することにより取得される、請求項５に記載の方法。
【請求項７】
デバイスは、従業員及び別の事業の従業員でない者に供給される、請求項１に記載の方法。
【請求項８】
ノートブックアイコンを選択することが、前記企業の電話番号、前記企業の担当者が誰であるか、前記企業の担当者の肩書、及び前記企業のウェブサイトのユニフォーム・リソース・ロケータのそれぞれについての情報を入力するための画面を前記デバイスに表示させる、請求項３に記載の方法。
【請求項９】
前記デバイスの現在位置を決定することを更に含む、請求項１に記載の方法。
【請求項１０】
前記デバイスの前記現在位置が、前記デバイスに関連付けられたＧＰＳ受信器、及び前記デバイスの位置を入力することのうちの一方により決定される、請求項９に記載の方法。
【請求項１１】
前記企業に関するデータを報告することが、データが報告されたときにデバイスのユーザにゲームのポイントをもたらす、請求項１に記載の方法。
【請求項１２】
前記デバイスのユーザが、企業に関する情報を取得している、他のデバイスの他のユーザとチャターすることを更に含む、請求項１に記載の方法。
【請求項１３】
企業に関するデータを報告するためのシステムであって、
前記企業の地理的位置のマップを提供するデバイスであって、前記企業が前記マップ上にマーカーにより表される、デバイスと、
入力装置であって、
前記企業の名称を表示するために前記マーカーを選択することを前記デバイスのユーザに可能にし、
前記企業に関する情報を入力するためのオプションを提供するためのツールバーを開くための命令を受信し、前記オプションの１つは、ある位置に前記企業があるかどうか、その位置で企業が運営されているようであるかどうか、前記位置が空いているかどうか、前記位置に異なる企業が存在するかどうか、及び、前記位置で前記異なる企業が営業を行っているようであるかどうかのそれぞれについての情報を入力するための画面を前記デバイスに表示し、
前記オプションのうちの少なくとも１つにより前記企業に関する情報を受信する
ための、入力装置と、
前記情報を中央データベースに送信するための接続部と、
を備える、システム。
【請求項１４】
前記ツールバーが、前記企業が住居外で営まれているかどうかに関するデータを入力するためのアイコンと、前記企業の前記位置の画像を提供するためのカメラと、前記企業の前記位置のマップと、前記企業に関する情報を入力するためのノートブックと、を含む、請求項１３に記載のシステム。
【請求項１５】
前記ツールバー上のアイコンを選択することが、前記企業に関する前記情報を入力するための画面を前記デバイスに表示させる、請求項１４に記載のシステム。
【請求項１６】
前記企業が住居外で営まれているかどうかに関するデータを入力するための前記アイコンを選択することが、イエスボタン、ノーボタン及び提出ボタンを伴う画面を前記デバイスに表示させる、請求項１５に記載のシステム。
【請求項１７】
カメラの前記アイコンを選択することが、前記デバイスのカメラにより生成された画像と、前記画像を報告のために選択するためのボタンと、を前記デバイスに表示させる、請求項１４に記載のシステム。
【請求項１８】
前記画像が、前記企業の画像をキャプチャするために前記カメラを使用することにより取得される、請求項１７に記載のシステム。
【請求項１９】
デバイスは、従業員及び別の事業の従業員でない者に供給される、請求項１３に記載のシステム。
【請求項２０】
ノートブックアイコンを選択することが、前記企業の電話番号、前記企業の担当者が誰であるか、前記企業の担当者の肩書、及び前記企業のウェブサイトのユニフォーム・リソース・ロケータのそれぞれについての情報を入力するための画面を前記デバイスに表示させる、請求項１５に記載のシステム。
【請求項２１】
前記デバイスの現在位置を決定するための装置を更に備える、請求項１３に記載のシステム。
【請求項２２】
前記デバイスの前記現在位置を決定するための前記装置が、前記デバイスに関連付けられたＧＰＳ受信器、及び前記デバイスの位置を入力するための画面のうちの一方である、請求項２１に記載のシステム。
【請求項２３】
企業に関するデータを報告することが、データが報告されたときに前記デバイスのユーザにゲームのポイントをもたらす、請求項１３に記載のシステム。
【請求項２４】
前記デバイスのユーザが、企業に関する情報を取得している、他のデバイスの他のユーザとチャターすることを可能にするように構成される、請求項１３に記載のシステム。
【請求項２５】
コンピュータシステムにより実行されると、企業に関するデータを報告するための方法のステップの実施をもたらすコンピュータプログラムの命令を記憶する、コンピュータ読み取り可能な非一時的な記憶媒体であって、前記方法が、
プロセッサ、メモリ及びディスプレイを有する前記コンピュータシステムを有するデバイス上で、前記ディスプレイ上に前記企業の地理的位置のマップを提供することであって、前記企業が前記マップ上にマーカーにより表される、前記マップを提供することと、
前記マーカーが選択された場合に前記企業の名称を表示することと、
前記企業に関する情報を入力するためのオプションを提供するためにツールバーを開くための命令を受信することと、
前記オプションのうちの少なくとも１つにより前記企業に関する情報を前記デバイスに提供することであって、前記オプションの１つは、ある位置に前記企業があるかどうか、その位置で企業が運営されているようであるかどうか、前記位置が空いているかどうか、前記位置に異なる企業が存在するかどうか、及び、前記位置で前記異なる企業が営業を行っているようであるかどうかのそれぞれについての情報を入力するための画面を前記デバイスに表示することと、
前記デバイスを使用することにより前記情報を中央データベースに送信することと、
を含む、記憶媒体。
【国際調査報告】
2016541199.tif 000021